(57)【要約】【課題】閉路蓋の運搬時、保管時における閉路蓋の損傷を防止する。【解決手段】電極保護蓋１００は、取付台本体１０の上面部に装着される３相の閉路蓋の個数に対応して設けられた複数の蓋取付台２０と、取付台本体１０の周縁部に沿うようにして対向して立設された側壁部１２，１２とを備える。側壁部１２，１２の内壁面には、蓋取付台２０に装着された閉路蓋を所定位置に固定するための突起部１４が設けられる。蓋取付台２０の周面にも、蓋取付台２０に装着された閉路蓋を所定位置に固定するための突起部２２が設けられる。運搬時には、運搬用ベルト３０Ａ，３０Ｂにより閉路蓋を被覆すると共に、把持部３２Ａ，３２Ｂを互いに貼り合わせて作業者が把持するための取っ手を構成する。【選択図】図２
2013048521.tif 000002
【特許請求の範囲】
【請求項１】
開閉器または変圧器の固定モールドから取り外された蓋を運搬または保管する際に用いる電極保護蓋であって、
取付台本体と、
前記取付台本体の上面部に設けられ、前記蓋が装着される複数の蓋取付台と、
前記取付台本体の周縁部に沿うようにして立設された側壁部とを備え、
前記側壁部の内壁面には、前記蓋取付台に装着された前記蓋を所定位置に固定するための突起部が設けられた
ことを特徴とする電極保護蓋。
【請求項２】
前記蓋取付台の周面には、前記蓋取付台に装着される前記蓋を所定位置に固定するための突起部が設けられた
ことを特徴とする請求項１に記載の電極保護蓋。
【請求項３】
一端部が前記取付台本体の対向する側面部のそれぞれに取り付けられ、前記蓋取付台に装着された前記蓋を被覆可能に設けられた一対の運搬用ベルトと、
前記一対の運搬用ベルトの他端部のそれぞれに取り付けられ、作業者が前記電極保護蓋の運搬時に互いに重ね合わせて把持する把持部と
を備えることを特徴とする請求項１または請求項２に記載の電極保護蓋。
【請求項４】
前記蓋取付台の対向する側面部のそれぞれに設けられ、前記蓋取付台に装着された前記蓋を固定するための一対の固定用ベルトを備えることを特徴とする請求項１から請求項３の何れか一項に記載の電極保護蓋。
【請求項５】
前記複数の蓋取付台は、３相の前記固定モールドに対応して一対の蓋取付台が３組で設けられ、
前記側壁部の上面部であって各相に対応した前記蓋取付台のそれぞれの位置には、前記各相を示す識別部材が設けられた
ことを特徴とする請求項１から請求項４の何れか一項に記載の電極保護蓋。
【発明の詳細な説明】
【技術分野】
【０００１】
本発明は、開閉器や変圧器から取り外した閉路蓋や開路蓋を運搬、保管する際に装着する電極保護蓋に関する。
【背景技術】
【０００２】
近年、地中配電線路が広く普及しており、地中配電線の分岐開閉等を行う変圧器や開閉器がキャビネットに収容された状態で路上に設置されている。例えば、開閉器等の電気設備は、固定モールド部と、これに接続、分離することで回路を開閉する可動モールド部（以下、閉路蓋という）とを一組として、３組の固定モールド部および可動モールド部から構成されている。固定モールドの一次側にはモールド母線が接続され、二次側には二次ケーブルまたは需要者用の引込ケーブルが接続されている。
【０００３】
上述した開閉器等の機器では、経時劣化や損傷等によるケーブルの交換が行われたり、定期的に検査や試験が実施されている。このような場合には、開閉器等の設備を停電させる必要がある。停電作業は、固定モールドに装着された閉路蓋を取り外すことで回路を遮断して停電とし、露出した固定モールドの充電部に開路蓋を装着することで充電部の保護している。例えば、特許文献１には、配電用開閉器が設置された狭い配電箱内でも簡単、かつ短い停電時間で作業を行うことができるモールド開閉器用接続装置が開示されている。
【０００４】
固定モールドから取り外した閉路蓋は、変圧器の場合、キャビネット内に予め開路蓋を置いておく開路蓋取付台が設置されていないため、例えばキャビネット内に残して置いておくことも考えられるが、キャビネット内に残置した場合には閉路蓋の内面に結露、汚損（塵埃等）が付着してしまう可能性が高い。そのため、固定モールドから取り外した閉路蓋については、事業所に持ち帰って保管する場合が多い。
【０００５】
また、開閉器の場合には、キャビネット内に開路蓋を予め配置しておく配置台が設置されているが、１回路分しかないため、２回路目以降の閉路蓋については、変圧器の場合と同様に、事業所に持ち帰って保管している。閉路蓋の運搬、保管には、例えば取付板と取付板上に設けられた蓋取付台とから構成された電極蓋に閉路蓋を装着することで運搬、保管している。また、電極蓋を収容容器に収容することで、閉路蓋を運搬し、保管する場合もある。
【先行技術文献】
【特許文献】
【０００６】
【特許文献１】特開２００７−１９５３５３号公報
【発明の概要】
【発明が解決しようとする課題】
【０００７】
しかしながら、上述した従来の閉路蓋の運搬、保管方法では、以下のような問題がある。すなわち、閉路蓋は電極蓋に十分に固定された状態で装着されていないので、閉路蓋の運搬中に、運搬時の振動等により電極蓋から閉路蓋が脱落してしまい、その脱落時の衝撃により閉路蓋が損傷してしまう場合がある。また、脱落しない場合でも、運搬、保管時に閉路蓋が片寄ったりしてケースや周囲の物体に当たり、閉路蓋の樹脂部が損傷してしまう場合もある。このように閉路蓋が損傷してしまうと、開閉器等の固定モールドへの装着時に接触不良等が発生し、開閉器としての機能が低下してしまうという問題がある。また、事業所に持ち帰った場合、保管方法については統一されていないので、保管場所、保管方法によっては閉路蓋内面に結露、汚損する可能性が高くなるという問題もある。
【０００８】
そこで、本発明は、上記課題を解決するためになされたものであり、その目的は、閉路蓋の運搬時、保管時の損傷を防止することが可能な電極保護蓋を提供することにある。
【課題を解決するための手段】
【０００９】
本発明に係る電極保護蓋は、上記課題を解決するために、開閉器または変圧器の固定モールドから取り外された蓋を運搬する際に用いられる電極保護蓋であって、取付台本体と、取付台本体の上面部に設けられ、蓋が装着される複数の蓋取付台と、取付台本体の周縁部に沿うようにして立設された側壁部とを備え、側壁部の内壁面には、蓋取付台に装着された蓋を所定位置に固定するための突起部が設けられたものである。
【００１０】
本発明において、蓋には、閉路蓋と開閉蓋とが含まれている。閉路蓋は、一次側の固定モールドおよび二次側の固定モールドに嵌め込む（投入）することで一次側と二次側とを接続して閉路状態とし、固定モールドから取り外すことで回路を遮断して開放状態とするための蓋である。開路蓋は、固定モールドから閉路蓋を取り外して開放した場合に、露出する固定モールドの充電部を被覆して保護するための蓋である。また、閉路蓋には、単極型と３極型とがある。
【発明の効果】
【００１１】
本発明によれば、側壁部の内壁面に突起部を設けたので、この突起部により蓋取付台に装着された蓋が係止されるので、蓋を所定位置で強固に固定することができる。これにより、蓋取付台に装着された蓋の脱落や片寄り、衝突による損傷を回避することができ、開閉器や変圧器等への取付時における損傷等による接触不良を防止することができる。また、取付台本体に設けた側壁部によっても、蓋取付台に装着された蓋の脱落や片寄り、衝突による損傷を防止することで蓋を保護できる。
【図面の簡単な説明】
【００１２】
【図１】本発明の第１の実施の形態に係る電極保護蓋の概略構成例を示す斜視図である。
【図２】電極保護蓋の構成例を示す平面図である。
【図３】図１に示す要部Ａの拡大図である。
【図４】電極保護蓋の構成例を示す側面図である。
【図５】図２に示す電極保護蓋のＡ−Ａ線に沿った断面図である。
【図６】固定用ベルトにより閉路蓋ユニットを固定した状態を示す図である。
【図７】電極保護蓋の運搬時の側面側の状態を示す図である。
【図８】電極保護蓋の運搬時の正面側の状態を示す図である。
【図９】本発明の第２の実施の形態に係る電極保護蓋の構成例を示す平面図である。
【図１０】電極保護蓋の構成例を示す側面図である。
【図１１】図９に示す電極保護蓋のＢ−Ｂ線に沿った断面図である。
【発明を実施するための形態】
【００１３】
以下、発明を実施するための最良の形態（以下実施の形態とする）について説明する。
＜１．第１の実施の形態＞
［電極保護蓋の構成例］
図１は、本発明の第１の実施の形態に係る電極保護蓋１００の概略構成の一例を示す斜視図である。図２は電極保護蓋１００の構成の一例を示す平面図であり、図３は図２の要部Ａの拡大図である。図４は、電極保護蓋１００の側面部の構成の一例である。図５は、図２に示す電極保護蓋１００のＡ−Ａ線に沿った断面図である。
【００１４】
本発明に係る電極保護蓋１００は、開閉器または変圧器等の電気設備の固定モールドから取り外した単極型の閉路蓋ユニット３１０または３極型の閉路蓋ユニット２１０を運搬、保管する際に装着するための取付台である。すなわち、本発明の電極保護蓋１００は、単極型および３極型の閉路蓋の双方が兼用して使用できる構成となっている。
【００１５】
ここで、３極型の閉路蓋ユニット２１０は、図１に示すように、１相に対して一対の閉路蓋（一次側および二次側）を１組とし、３相分の３組の閉路蓋が連結金具２２０を介して一体的に構成されている。各閉路蓋２００は円筒体であって、その外周部は例えば樹脂材料等からなる。
【００１６】
単極型の閉路蓋ユニット３１０は、図１の点線で示すように、１相に対して一対の閉路蓋（一次側および二次側）を１組とし、一対の閉路蓋が連結金具３２０を介して一体的に構成されている。閉路蓋ユニット３１０は固定モールドとは一対で互換性があるため、閉路蓋ユニット３１０には対応する各相（Ｒ相、Ｓ相、Ｔ相）を示す文字情報が表記されている。なお、図１では、便宜上１相の閉路蓋ユニット３１０のみを示している。
【００１７】
電極保護蓋１００は、図１〜図５に示すように、取付台本体１０と複数の蓋取付台２０と一対の運搬用ベルト３０Ａ，３０Ｂと把持部３２Ａ，３２Ｂと一対の固定用ベルト４０Ａ，４０Ｂとを備えている。取付台本体１０は、平面的に見て略長方形状をなす平板部材からなり、例えば持ち運び易いように軽量であってかつ耐久性の高いゴム等の材料からなる。取付台本体１０の外形は、例えば２行３列で一体的に構成された閉路蓋ユニット２１０が装着可能な大きさに選定される。
【００１８】
取付台本体１０の長辺側の周縁部のそれぞれには、その周縁部に沿って対向するように側壁部１２，１２が立設されている。側壁部１２は、蓋取付台２０に装着される閉路蓋２００の衝撃を吸収したり、閉路蓋２００の脱落を防止するものであり、例えば閉路蓋２００の衝撃を効果的に吸収可能なゴム（ウレタン）等の樹脂材料からなる。側壁部１２の高さは、例えば蓋取付台２０の高さよりも若干高くなるように選定され、閉路蓋２００の下端側を支持できるようになっている。なお、側壁部１２と取付台本体１０とはモールド成形等により一体的に形成することもできる。
【００１９】
対向する側壁部１２，１２の内壁面のそれぞれには、図４に示すように、内周面から内側（対向する側）に突出した突起部１４が内壁面の長手方向に沿って設けられている。本例では、突起部１４が側壁部１２の内壁面に２列で所定間隔を隔てて平行に設けられている。突起部１４は、断面形状が三角形状に形成され、閉路蓋２００が蓋取付台２０に装着されたときに閉路蓋２００の外周面に当接（接触）または閉路蓋２００を内側に付勢可能な大きさに選定されている。なお、突起部１４の断面形状は、三角形状に限定されることはなく、半円形状等の形状であっても良い。
【００２０】
側壁部１２の上面部であってかつ装着される各相の閉路蓋２００に対応した位置には、図３に示すように、各相を示す識別情報が表記されたシート部材５０Ｒ，５０Ｓ，５０Ｔがそれぞれ貼り付けられている。例えば、図３中の左側のＲ相に対応した位置には、「Ｒ相（赤相）」の文字が表記されたシート部材５０Ｒが貼り付けられている。この「Ｒ相（赤相）」は、識別し易いように赤字で表記される。図３中の中央のＳ相に対応した位置には、「Ｓ相（白相）」の文字が表記されたシート部材５０Ｓが貼り付けられている。「Ｓ相（白相）」の文字は、識別し易いように白字で表記される。図３中の右側のＴ相に対応した位置には、「Ｔ相（青相）」の文字が表記されたシート部材５０Ｔが貼り付けられている。「Ｔ相（青相）」の文字は、識別し易いように青字で表記される。
【００２１】
蓋取付台２０は、閉路蓋２００を装着するための台座であって、取付台本体１０の上面に設けられている。本例では、３相分の３組の閉路蓋２００が装着されるので、取付台本体１０の上面部には各閉路蓋２００に対応した位置に２行３列（縦２×横３）で所定間隔を隔てて蓋取付台２０が配設されている。蓋取付台２０には、裏面側からねじにより閉路蓋２００を締結するための図示しないねじ孔が形成されている。
【００２２】
蓋取付台２０は、図４および図５に示すように、閉路蓋２００の内径と略同一の径を有する頭部２０ａと、この頭部２０ａよりも縮径された円柱部２０ｂとを有している。円柱部２０ｂの周面には、周面から外方向に突出した突起部２２が設けられている。突起部２２は、蓋取付台２０に装着された閉路蓋２００の脱落や片寄りを防止するためのものであり、円柱部２０ｂの周方向に沿って形成されている。突起部２２の断面形状は、蓋取付台２０に装着される閉路蓋２００の内周面に引っ掛かり易い形状（係止し易い形状）であれば良く、例えば半円形状であっても良いし、三角形状等でも良い。
【００２３】
取付台本体１０の短辺側の閉路蓋装着領域から外側に張り出した周縁部１０ａ，１０ａのそれぞれには、図２に示すように、取付台本体１０を押え付けるための押え部１６，１６が設けられている。押え部１６は、閉路蓋２００の着脱時に作業者が足で踏み付けて取付台本体１０が動かないように固定するための部位であり、例えば、その表面に滑り止め加工や表面を凹凸で加工を施すことにより、踏み付けられた足の滑り止めとして機能する。
【００２４】
一対の運搬用ベルト３０Ａ，３０Ｂは、例えばポリエステル等の合成樹脂等からなるシート状の部材であって、一端が側壁部１２，１２の外周面のそれぞれに取り付けられている。取り付け方法は、接着剤等であっても良いし、ねじ等の締結部材を用いても良いし、側壁部１２に設けられたロック機構を備える凹部に運搬用ベルト３０Ａ，３０Ｂを装着するような構成であっても良い。運搬用ベルト３０Ａ，３０Ｂの長さ方向は、一対の把持部３２，３２を閉路蓋ユニット２１０の上方で重ね合わせた場合に蓋取付台２０に装着される閉路蓋２００を少なくとも覆うことが可能な長さに選定される。また、幅方向は、３列に配列された閉路蓋２００を覆うことが可能な長さに選定される。運搬用ベルト３０Ａ，３０Ｂのそれぞれの外面側には、一対で互換性のある開閉器や変圧器等の電気設備を示す識別番号が表記された識別部材５０Ａ，５０Ｂが取り付けられている（図２中一点鎖線）。識別部材５０Ａ，５０Ｂには、後述する図８に示すように、例えば、閉路蓋２００の対となる開閉器の開閉器番号「地下○○  １０：１」が表記される。
【００２５】
一対の把持部３２Ａ，３２Ｂは、図２に示すように、電極保護蓋１００を運搬する際に作業者が把持するための取っ手であり、運搬用ベルト３０Ａ，３０Ｂのそれぞれの先端部に取り付けられている。把持部３２Ａ，３２Ｂには作業者が指を挿入するための開口部３６Ａ，３６Ｂが穿設されると共に、その両端であって把持部３２Ａ，３２Ｂの互いに対向する面（内面側）には面ファスナー等で構成された貼付部３４Ａ，３４Ｂが設けられている。運搬時には、一対の把持部３２Ａ，３２Ｂ同士が貼付部３４Ａ，３４Ｂを介して貼り合わされて固着されることで、ユーザが把持する取っ手が構成される。
【００２６】
一対の固定用ベルト４０Ａ，４０Ｂは、蓋取付台２０に行（横）方向に装着された閉路蓋２００を押えて固定することで閉路蓋２００の脱落、片寄り等を補助的に防止するものである。固定用ベルト４０Ａ，４０Ｂは、例えばポリエステル等の合成樹脂等からなる帯状のシート部材であって、その一端部が取付台本体１０の短辺側の周縁部１０ａ，１０ａの外周面に取り付けられている。固定用ベルト４０Ａの先端部の外面側には、例えば面ファスナー等の貼付部材４２Ａが貼り付けられ、固定用ベルト４０Ｂの先端部の内面側には、例えば面ファスナー等の貼付部材４２Ｂが貼り付けられている。貼付部材４２Ａ，４２Ｂの取り付け位置は逆であっても良い。これにより、蓋取付台２０に装着された閉路蓋２００の上方側で固定用ベルト４０Ａ，４０Ｂの先端部の貼付部材４２Ａ，４２Ｂ同士が互いに貼り合わされることで閉路蓋２００が押え付けられた状態で固定される。本例では、閉路蓋ユニット２１０が２行で構成されているため、これに対応して２組の固定用ベルト４０Ａ，４０Ｂが設けられている。
【００２７】
［電極保護蓋の使用例］
次に、本発明の第１の実施の形態に係る電極保護蓋１００の使用例について説明する。図６は、蓋取付台２０に装着された閉路蓋２００を固定用ベルト４０Ａ，４０Ｂにより固定した状態を示している。なお、図６では、運搬用ベルト３０Ａ，３０Ｂについては便宜上省略している。図７は電極保護蓋１００の運搬、保管時における状態を示す側面図であり、図８はその正面図である。
【００２８】
開閉器や変圧器等のケーブルの交換や試験を行う場合、固定モールドから閉路蓋ユニット２１０を引き抜いて開放状態とする。引き抜いた閉路蓋ユニット２１０は、電極保護蓋１００に貼り付けられたシート部材５０Ｒ，５０Ｓ，５０Ｔに位置が合うように電極保護蓋１００の蓋取付台２０に装着する。これにより、図７に示すように、閉路蓋２００の下端側の内周面が蓋取付台２０の突起部２２に係止されることで所定位置に固定され、その下端側の外周面が側壁部１２の突起部１４に係止されることで所定位置に固定される。また、このとき、電極保護蓋１００の裏面側から図示しないねじにより閉路蓋２００を蓋取付台２０に締結することで、閉路蓋２００を蓋取付台２０に固定する。
【００２９】
閉路蓋ユニット２１０を蓋取付台２０に装着したら、図６に示すように、固定用ベルト４０Ａ，４０Ｂの先端側を把持して閉路蓋ユニット２１０の上方に持っていき、閉路蓋ユニット２１０全体を覆うようにして貼付部材４２Ａ，４２Ｂ同士を貼り合わせて固着する。このとき、閉路蓋ユニット２１０が動かないように、固定用ベルト４０Ａ，４０Ｂをしっかりと引っ張った状態で固定する。これにより、閉路蓋ユニット２１０が固定用ベルト４０Ａ，４０Ｂにより押え付けられて固定される。
【００３０】
続けて、固定用ベルト４０Ａ，４０Ｂによる固定作業が終了したら、図７および図８に示すように、把持部３２Ａ，３２Ｂを閉路蓋ユニット２１０の上方に持っていき、閉路蓋ユニット２１０全体を覆うようにして把持部３２Ａ，３２Ｂ同士を貼付部３４Ａ，３４Ｂにより貼り合せて固着する。これにより、閉路蓋ユニット２１０の全体が運搬用ベルト３０Ａ，３０Ｂにより覆われ、閉路蓋ユニット２１０が運搬用ベルト３０Ａ，３０Ｂにより押さえ付けられた状態で固定される。このとき、図８に示すように、運搬用ベルト３０Ａ，３０Ｂにより閉路蓋ユニット２１０が覆われると、運搬用ベルト３０Ａの識別部材５０Ａが運搬用ベルト３０Ａの外面側上部に位置するので、作業者が識別部材５０Ａを視認して確認し易くなっている。
【００３１】
以上説明したように、第１の実施の形態によれば、例えばゴム材料で構成された側壁部１２，１２を設けるので、閉路蓋２００の蓋取付台２０からの運搬や保管中における落下、衝撃、片寄り等を回避でき、閉路蓋２００の樹脂部の損傷を防止することができる。その結果、開閉器等への取付時における損傷等による接触不良を回避することができ、開閉器等の電気設備としての機能性の低下を防止できる。また、側壁部１２の内壁面に突起部１４を設けたので、閉路蓋２００の装着時に閉路蓋２００の外周面が当接（密着）して引っ掛かることで、閉路蓋２００を所定位置で強固に固定することができ、運搬や保管中における落下、衝撃、片寄り等を回避できる。また、蓋取付台２０の周面に突起部２２を設けたので、閉路蓋２００の装着時に閉路蓋２００の内周面が突起部２２に当たって引っ掛かるので、閉路蓋２００を所定位置で強固に固定することができ、閉路蓋２００の脱落や片寄りを防止できる。また、閉路蓋２００の内周面に突起部２２が密着することで、閉路蓋２００内を蓋取付台２０の頭部２０ａと突起部２２とで２重の密閉構造とすることができ、閉路蓋２００内への粉塵の侵入や、結露、汚損を防止することができる。これにより、閉路蓋２００の耐汚損、防湿能力を高めることができると共に、従来のようなアルコールを含浸した布等で清掃する作業を省略することができる。
【００３２】
また、把持部３２Ａ，３２Ｂを設けているので、作業者は、電極保護蓋１００の運搬を容易に行うことができる。この際、固定用ベルト４０Ａ，４０Ｂによって閉路蓋ユニット２１０が固定されるので、運搬時における閉路蓋ユニット２１０の落下を確実に防止できる。さらには、閉路蓋ユニット２１０は、運搬用ベルト３０Ａ，３０Ｂによっても覆われるので、運搬時の閉路蓋ユニット２１０の落下を確実に防止でき、閉路蓋ユニット２１０の損傷を防止できる。
【００３３】
また、取付台本体１０の周縁部に押え部１６を設けているので、閉路蓋ユニット２１０の電極保護蓋１００への着脱時に、例えば押え部１６を足で踏み付けて電極保護蓋１００を押え付けることで、閉路蓋ユニット２１０を容易に電極保護蓋１００から着脱できる。
【００３４】
さらに、側壁部１２の上面部にシート部材５０Ｒ，５０Ｓ，５０Ｔを貼り付けているので、三極型の閉路蓋２００だけでなく、単極型の閉路蓋３００にも本発明の電極保護蓋１００を適用（兼用）することができ、作業員が作業時に誤認、誤操作（誤挿入）することを防止できる。また、運搬用ベルト３０Ａ，３０Ｂの外面側に識別部材５０Ａ，５０Ｂを貼り付けているので、作業者の閉路蓋の誤認を防止でき、一対で互換性のある開閉器等に確実に装着させることができる。
【００３５】
＜２．第２の実施の形態＞
第２の実施の形態では、単極型用の電極保護蓋５００である点において、単極型または３極型の双方に兼用できる電極保護蓋１００の第１の実施の形態と相違している。なお、その他の電極保護蓋５００の構成は、上記第１の実施の形態の電極保護蓋１００の構成および機能と同様であるため、共通の構成要素には同一の符号を付し、詳細な説明は省略する。
【００３６】
図９は本発明の第２の実施の形態に係る電極保護蓋５００の構成の一例を示す平面図であり、図１０は電極保護蓋５００の構成の一例を示す側面部の構成の一例である。図１１は、図９に示す電極保護蓋１００のＢ−Ｂ線に沿った断面図である。なお、以下では、Ｒ相用の閉路蓋３００を電極保護蓋５００に装着する場合について説明する。
【００３７】
本発明の第２の実施の形態に係る電極保護蓋５００は、開閉器または変圧器等の電気設備に設けられた固定モールドから取り外した単極型の閉路蓋ユニット３１０（図１点線囲参照）を運搬、保管する際に用いられる取付台である。すなわち、本発明の電極保護蓋５００は、単極型専用の構成となっている。
【００３８】
電極保護蓋５００は、図９〜図１１に示すように、取付台本体１０と複数の蓋取付台２０と一対の運搬用ベルト３０Ａ，３０Ｂと把持部３２Ａ，３２Ｂと一対の固定用ベルト４０Ａ，４０Ｂとを備えている。取付台本体１０は、平面的に見て略長方形状をなす平板部材からなり、例えば２個の閉路蓋で構成された閉路蓋ユニット３１０が装着可能な大きさに選定される。
【００３９】
図１０に示すように、取付台本体１０の長辺側の周縁部のそれぞれには、その周縁部に沿って対向するように側壁部１２，１２が立設されている。対向する側壁部１２，１２の内壁面のそれぞれには、内周面から内側（対向する側）に突出した突起部１４が内壁面の長手方向に沿って設けられている。
【００４０】
側壁部１２の上面部であってかつ装着されるＲ相用の閉路蓋２００に対応した位置には、図９に示すように、Ｒ相を示す識別情報が表記されたシート部材５０Ｒが貼り付けられている。例えば、側壁部１２の上面部には、「Ｒ相（赤相）」の文字が表記されたシート部材５０Ｒが貼り付けられ、この「Ｒ相（赤相）」の文字が赤色で表記されている。
【００４１】
蓋取付台２０は、閉路蓋３００を装着するための台座であって、取付台本体１０の上面に設けられている。本例では、単極用なので、１相分に相当する２個の蓋取付台２０が所定間隔を隔てて配設されている。蓋取付台２０の円柱部２０ｂの周面には、図１０および図１１に示すように、蓋取付台２０に装着された閉路蓋２００の脱落や片寄りを防止するための突起部２２が設けられている。取付台本体１０の短辺側の周縁部１０ａ，１０ａのそれぞれには、図９に示すように、取付台本体１０を押え付けるための押え部１６，１６が設けられている。
【００４２】
一対の運搬用ベルト３０Ａ，３０Ｂは、ポリエステル等の合成樹脂等からなるシート状の部材であって、一端が対向配置された側壁部１２，１２の外周面のそれぞれに取り付けられている。運搬用ベルト３０Ａ，３０Ｂの幅方向は、少なくとも１列で配列された閉路蓋２００を覆うことが可能な長さに選定される。運搬用ベルト３０Ａ，３０Ｂのそれぞれの外面側には、一対で互換性のある開閉器や変圧器を示す識別番号が表記された識別部材５０Ａ，５０Ｂが取り付けられている（図９中一点鎖線）。
【００４３】
一対の把持部３２Ａ，３２Ｂは、電極保護蓋１００を運搬する際に作業者が把持するための取っ手であり、運搬用ベルト３０Ａ，３０Ｂのそれぞれの先端部に取り付けられている。運搬時には、一対の把持部３２Ａ，３２Ｂ同士が貼付部３４Ａ，３４Ｂを介して貼り合わされて固着されることで、ユーザが把持する取っ手が構成される。
【００４４】
一対の固定用ベルト４０Ａ，４０Ｂは、蓋取付台２０に装着された閉路蓋２００を押えて固定することで閉路蓋２００の脱落、片寄り等を補助的に防止するものである。固定用ベルト４０Ａ，４０Ｂは、帯状のシート部材であって、その一端部が取付台本体１０の短辺側の周縁部１０ａ，１０ａの外周面に取り付けられている。本例では、電極保護蓋５００がＲ相（赤相）に対応しているので、これに合わせて赤色の固定用ベルト４０Ａ，４０Ｂが用いられる。
【００４５】
なお、Ｓ相、Ｔ相の閉路蓋を装着する電極保護蓋についても、上述したＲ相用の電極保護蓋５００と主な構成は同様である。相違する点としては、Ｓ相に対応する電極保護蓋は、シート部材５０Ｓに「Ｓ相（白相）」の文字が白色で表記され、固定用ベルト４０Ａ，４０Ｂに白色が用いられる。また、Ｔ相に対応する電極保護蓋は、シート部材５０Ｔに「Ｔ相（青相）」の文字が青色で表記され、固定用ベルト４０Ａ，４０Ｂに青色が用いられる。
【００４６】
以上説明したように、第２の実施の形態によれば、上記第１の実施の形態と同様の作用効果を奏することができる。また、第２の実施の形態によれば、単極用の閉路蓋に特化した電極保護蓋５００を提供することができる。また、各相に対応した電極保護蓋には、各相を識別するためのシート部材５０Ｒ等が貼り付けられているので、作業者が誤認することを防止でき、これに伴う開閉器等への誤挿入を回避できる。
【００４７】
なお、本発明の技術範囲は、上述した実施形態に限定されるものではなく、本発明の趣旨を逸脱しない範囲において、上述した実施形態に種々の変更を加えたものを含む。例えば、上記第１および第２の実施の形態では、電極保護蓋１００，５００に閉路蓋２００，３００を装着した場合について説明したが、これに限定されることはなく、開路蓋の運搬、保管時に上記電極保護蓋１００，５００を用いても良い。
【符号の説明】
【００４８】
１０・・・取付台本体、１２・・・側壁部、１４，２２・・・突起部、２０・・・蓋取付台、３０Ａ，３０Ｂ・・・運搬用ベルト、３４Ａ，３４Ｂ・・・把持部、４０Ａ，４０Ｂ・・・固定用ベルト、１００，５００・・・電極保護蓋
【図１】
2013048521.tif 000003
【図２】
2013048521.tif 000004
【図３】
2013048521.tif 000005
【図４】
2013048521.tif 000006
【図５】
2013048521.tif 000007
【図６】
2013048521.tif 000008
【図７】
2013048521.tif 000009
【図８】
2013048521.tif 000010
【図９】
2013048521.tif 000011
【図１０】
2013048521.tif 000012
【図１１】
2013048521.tif 000013